【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
パチンコ台の遊技媒体であるパチンコ玉の個数を計数するパチンコ玉計数機であって、
底面にパチンコ玉が落下する投入口を有するホッパと、
前記ホッパの下側に配設される傾斜面であって、前記投入口から落下したパチンコ玉を一方向に転動させるガイド部と、
前記ガイド部の下側に配設され、前記ガイド部の傾斜面先端部から落下したパチンコ玉を整列させつつ前記一方向と反対の他方向に転動させる一又は二以上のレーンからなるレーンユニットと、
前記レーンユニットを転動するパチンコ玉を計数する計数部と、
前記計数部で計数されたパチンコ玉を放出する放出口と、を備え、
前記ガイド部が、
前記投入口の一側開口縁から前記一方向に沿って傾斜し、傾斜面先端部が少なくとも前記投入口の他側開口縁下側を越えて位置する第一衝突部と、
この第一衝突部から連続して前記一方向に沿って傾斜しつつ、当該一方向を中心線とした左右方向に傾斜する左右斜面部と、この左右斜面部の前記一方向側前方に連続して当該一方向に沿って傾斜する前方斜面部と、からなる斜面部と、を有し、
前記第一衝突部が、前記一方向を中心線とした左右方向に傾斜する
ことを特徴とするパチンコ玉計数機。
【請求項２】
前記ガイド部の前方に、前記他方向に向かって傾斜して配設され、前記ガイド部から前記一方向に転動したパチンコ玉が衝突可能な第二衝突部と、
前記第二衝突部の下側に、前記一方向に向かって傾斜して配設され、前記ガイド部から垂直方向に落下し又は前記第二衝突部に衝突して落下したパチンコ玉が衝突可能な第三衝突部と、
を備える請求項１記載のパチンコ玉計数機。
【請求項３】
前記レーンユニットが、
前記一又は二以上のレーンの上面に配設される板状部材であって、前記放出口側で回動自在に支持され、前記レーン内に整列されるパチンコ玉を上方から押圧する押さえ板と、
この押さえ板を前記レーンユニット側に付勢する付勢手段と、を有する請求項１又は２記載のパチンコ玉計数機。
【請求項４】
パチンコ台の遊技媒体であるパチンコ玉の個数を計数するパチンコ玉計数機であって、
底面にパチンコ玉が落下する投入口を有するホッパと、
前記ホッパの下側に配設される傾斜面であって、前記投入口から落下したパチンコ玉を一方向に転動させるガイド部と、
前記ガイド部の下側に配設され、前記ガイド部の傾斜面先端部から落下したパチンコ玉を整列させつつ前記一方向と反対の他方向に転動させる一又は二以上のレーンからなるレーンユニットと、
前記レーンユニットを転動するパチンコ玉を計数する計数部と、
前記計数部で計数されたパチンコ玉を放出する放出口と、を備え、
前記レーンユニットが、
前記一又は二以上のレーンの上面に配設される板状部材であって、前記放出口側で回動自在に支持され、前記レーン内に整列されるパチンコ玉を上方から押圧する押さえ板と、
この押さえ板を前記レーンユニット側に付勢する付勢手段と、
を有することを特徴とするパチンコ玉計数機。
【請求項５】
前記付勢手段が、前記押さえ板の上面に配設される重りからなる請求項４記載のパチンコ玉計数機。
【請求項６】
前記付勢手段が、前記押さえ板を前記レーンユニット側に付勢する弾性部材からなる請求項３又は４記載のパチンコ玉計数機。
【請求項７】
前記付勢手段が、前記押さえ板を前記レーンユニットに向かって上下方向に回動させる駆動手段からなる請求項３又は４記載のパチンコ玉計数機。
【請求項８】
前記重りが、前記押さえ板の上面に移動可能に配設される請求項５記載のパチンコ玉計数機。
【手続補正２】
【補正対象書類名】明細書
【補正対象項目名】００２２
【補正方法】変更
【補正の内容】
【００２２】
【課題を解決するための手段】
上記目的を達成するため、本発明の請求項１記載のパチンコ玉計数機は、パチンコ台の遊技媒体であるパチンコ玉の個数を計数するパチンコ玉計数機であって、底面にパチンコ玉が落下する投入口を有するホッパと、前記ホッパの下側に配設される傾斜面であって、前記投入口から落下したパチンコ玉を一方向に転動させるガイド部と、前記ガイド部の下側に配設され、前記ガイド部の傾斜面先端部から落下したパチンコ玉を整列させつつ前記一方向と反対の他方向に転動させる一又は二以上のレーンからなるレーンユニットと、前記レーンユニットを転動するパチンコ玉を計数する計数部と、前記計数部で計数されたパチンコ玉を放出する放出口と、を備え、前記ガイド部が、前記投入口の一側開口縁から前記一方向に沿って傾斜し、傾斜面先端部が少なくとも前記投入口の他側開口縁下側を越えて位置する第一衝突部と、この第一衝突部から連続して前記一方向に沿って傾斜しつつ、当該一方向を中心線とした左右方向に傾斜する左右斜面部と、この左右斜面部の前記一方向側前方に連続して当該一方向に沿って傾斜する前方斜面部と、からなる斜面部と、を有し、前記第一衝突部が、前記一方向を中心線とした左右方向に傾斜する構成としてある。
【手続補正３】
【補正対象書類名】明細書
【補正対象項目名】００２３
【補正方法】変更
【補正の内容】
【００２３】
このような構成からなる本発明のパチンコ玉計数機によれば、パチンコ玉流路を形成する斜面として、投入口から落下するパチンコ玉が衝突する第一衝突部と、パチンコ玉の転動方向に対し左右及び前方に傾斜する複数の斜面部からなる斜面部とを有するガイド部を配設することにより、パチンコ玉をホッパの投入口からレーンユニットに至るまで、滞留や玉詰まり，玉の偏り等を発生させることなく、迅速かつ均等に転動，流入させることができる。
【手続補正４】
【補正対象書類名】明細書
【補正対象項目名】００２４
【補正方法】変更
【補正の内容】
【００２４】
これによって、計数部等への不正行為を防止するためにパチンコ玉の流入経路を二方向に傾斜する段階構造とすることによっても、パチンコ玉をホッパ部の投入口からレーンユニットまで、円滑，迅速かつ均等に流入させることができ、パチンコ玉の滞留や玉詰まり，偏り等の発生を確実に防止することができる。
【手続補正５】
【補正対象書類名】明細書
【補正対象項目名】００２５
【補正方法】変更
【補正の内容】
【００２５】
さらに、このような構成からなる本発明のパチンコ玉計数機によれば、投入口から落下したパチンコ玉が最初に衝突，転動するガイド部の第一衝突部を、パチンコ玉の転動方向に対し左右にも傾斜する斜面とすることにより、パチンコ玉を計数機の入口部分の最初から流入路全体に均等に分散させることができる。
一般に、計数機に投入されたパチンコ玉は、すり鉢状のホッパを投入口に向かって全方向から転動するので、投入口に落下するときに転動の勢いによって中央部に偏る傾向がある。
そこで、投入口から落下したパチンコ玉が最初に転動する第一衝突部を左右方向にも傾斜させることで、パチンコ玉を計数機の入口部分の最初から流入路全体に均等に分散させることができ、より迅速かつ偏りなくパチンコ玉を転動，流入させることができる。
【手続補正６】
【補正対象書類名】明細書
【補正対象項目名】００２６
【補正方法】変更
【補正の内容】
【００２６】
また、請求項２記載のパチンコ玉計数機では、前記ガイド部の前方に、前記他方向に向かって傾斜して配設され、前記ガイド部から前記一方向に転動したパチンコ玉が衝突可能な第二衝突部と、前記第二衝突部の下側に、前記一方向に向かって傾斜して配設され、前記ガイド部から垂直方向に落下し又は前記第二衝突部に衝突して落下したパチンコ玉が衝突可能な第三衝突部と、を備える構成としてある。
【手続補正７】
【補正対象書類名】明細書
【補正対象項目名】００２８
【補正方法】変更
【補正の内容】
【００２８】
また、請求項３記載のパチンコ玉計数機では、前記レーンユニットが、前記一又は二以上のレーンの上面に配設される板状部材であって、前記放出口側で回動自在に支持され、前記レーン内に整列されるパチンコ玉を上方から押圧する押さえ板と、この押さえ板を前記レーンユニット側に付勢する付勢手段と、を有する構成としてある。
【手続補正８】
【補正対象書類名】明細書
【補正対象項目名】００３０
【補正方法】変更
【補正の内容】
【００３０】
一方、請求項４記載のパチンコ玉計数機は、パチンコ台の遊技媒体であるパチンコ玉の個数を計数するパチンコ玉計数機であって、底面にパチンコ玉が落下する投入口を有するホッパと、前記ホッパの下側に配設される傾斜面であって、前記投入口から落下したパチンコ玉を一方向に転動させるガイド部と、前記ガイド部の下側に配設され、前記ガイド部の傾斜面先端部から落下したパチンコ玉を整列させつつ前記一方向と反対の他方向に転動させる一又は二以上のレーンからなるレーンユニットと、前記レーンユニットを転動するパチンコ玉を計数する計数部と、前記計数部で計数されたパチンコ玉を放出する放出口と、を備え、前記レーンユニットが、前記一又は二以上のレーンの上面に配設される板状部材であって、前記放出口側で回動自在に支持され、前記レーン内に整列されるパチンコ玉を上方から押圧する押さえ板と、この押さえ板を前記レーンユニット側に付勢する付勢手段と、を有する構成としてある。
【手続補正９】
【補正対象書類名】明細書
【補正対象項目名】００３２
【補正方法】変更
【補正の内容】
【００３２】
そして、請求項５では、前記付勢手段が、前記押さえ板の上面に配設される重りからなる構成としてある。
【手続補正１０】
【補正対象書類名】明細書
【補正対象項目名】００３３
【補正方法】変更
【補正の内容】
【００３３】
一方、請求項６では、前記付勢手段が、前記押さえ板を前記レーンユニット側に付勢する弾性部材からなる構成としてある。
【手続補正１１】
【補正対象書類名】明細書
【補正対象項目名】００３４
【補正方法】変更
【補正の内容】
【００３４】
また、請求項７では、前記付勢手段が、前記押さえ板を前記レーンユニットに向かって上下方向に回動させる駆動手段からなる構成としてある。
【手続補正１２】
【補正対象書類名】明細書
【補正対象項目名】００３６
【補正方法】変更
【補正の内容】
【００３６】
さらに、請求項８では、付勢手段となる前記重りが、前記押さえ板の上面に移動可能に配設される構成としてある。